(57)【要約】【課題】ボルトに締め付けるナットであって、ボルトに対し噛み込みや焼き付きを確実に防止することができるナットを提供する。【解決手段】ボルトに締め付けるナットであって、ナット本体１にはボルト２０の軸部２１に形成された雄ネジ２２に対応する一定内径の雌ネジ定径部２が形成されており、またナット本体１の入口側には前記雌ネジ定径部２の内径よりも大きな内径の逆ネジ部３が形成されているものとした。また、雌ネジ定径部２と逆ネジ部３との間に、ネジのないフラット部４を形成することもできる。【選択図】図１
2009264459.tif 000002
【特許請求の範囲】
【請求項１】
ボルトに締め付けるナットであって、ナット本体にはボルトの軸部に形成された雄ネジに対応する一定内径の雌ネジ定径部が形成されており、またナット本体の入口側には前記雌ネジ定径部の内径よりも大きな内径の逆ネジ部が形成されていることを特徴とするナット。
【請求項２】
雌ネジ定径部と逆ネジ部との間には、ネジのないフラット部が形成されている請求項１に記載のナット。
【発明の詳細な説明】
【技術分野】
【０００１】
本発明は、ボルトに締め付けるナットであって、ボルトに対し噛み込みや焼き付きを確実に防止することができるナットに関するものである。
【背景技術】
【０００２】
従来から、ナットに対して斜めに傾いた状態で挿入された場合にも、その姿勢を自らの軸部に形成されたガイド部によって適正にガイドすることにより、ナットへ噛み込むことなくスムーズに螺入していくことができる、いわゆる噛み込み防止ボルトが提案されている。
一般的なボルトがほぼ一定径の軸部を備えているのに対し、このような噛み込み防止ボルトでは、軸部の先端に小径またはテーパ状のガイド部を形成し、そのガイド部が雌ネジ部材のネジ孔の周面に当たるようにすることによって、ボルトの姿勢が適正にガイドされるようにしている。このような構造のボルトは、雌ネジに対して斜めに挿入された場合もネジ山が雌ネジのネジ山を確実に捕らえることができ、そのまま締め付けていけばリードに沿ってネジ部同士を正しく嵌め合わせていくことができるようになっている。
【０００３】
上記のようなボルトは、雌ネジ部材に対してボルトの傾き角度が比較的小さい場合には、軸部のガイド形状によりボルトの姿勢を適正にガイドして、ボルトを雌ネジ部材の雌ネジ部に引き込むようにしてスムーズに螺入していくことができるものの、ボルトが雌ネジ部材に対して大きく傾斜している場合には、ボルトの姿勢が適正にガイドされずに傾いた状態のまま雌ネジ部材の雌ネジ部に引き込まれていくことになる。この結果、ボルトがピッチずれを起こしたまま雌ネジ部材にネジ込まれていき、噛み込みや焼き付きが発生するという問題点があった。
【０００４】
そこで、本件出願人は特許文献１に示すような、軸部の先端側に逆ネジを設けて噛み込みや焼き付きの防止を図るボルトを開発し、先に出願した。
しかしながら、組立作業によってはボルトが事前に取り付けられていて、そこへナットを締め付ける場合もあり、この場合には、ボルトの逆ネジ部に対するナットの接触は点となるために、逆ネジのリードの効果が出ないという現象が生じた。この結果、ナットが逆ネジで浮き上がることなくピッチずれを起こしたままボルトにネジ込まれていき、噛み込みや焼き付きが発生するという問題点があった。
【特許文献１】特開２００５−１８０４７５号公報
【発明の開示】
【発明が解決しようとする課題】
【０００５】
本発明は上記のような問題点を解決して、ボルトに対して適正な締め付け姿勢にならない限りネジ込むことができないようにして、ボルトに対する噛み込みや焼き付きを確実に防止することができるナットを提供することを目的として完成されたものである。
【課題を解決するための手段】
【０００６】
上記課題を解決するためになされた本発明のナットは、ボルトに締め付けるナットであって、ナット本体にはボルトの軸部に形成された雄ネジに対応する一定内径の雌ネジ定径部が形成されており、またナット本体の入口側には前記雌ネジ定径部の内径よりも大きな内径の逆ネジ部が形成されていることを特徴とするものである。
【０００７】
また、雌ネジ定径部と逆ネジ部との間には、ネジのないフラット部が形成されていることが好ましく、これを請求項２に係る発明とする。
【発明の効果】
【０００８】
本発明に係るナットでは、ナット本体にはボルトの軸部に形成された雄ネジに対応する一定内径の雌ネジ定径部が形成されており、またナット本体の入口側には前記雌ネジ定径部の内径よりも大きな内径の逆ネジ部が形成されているので、ナットをボルトに対して斜めにセットされた状態で締め付けると、前記逆ネジとボルトのネジとが接触し、逆ネジの作用によりナットが浮き上がって締結が進行しなくなり、締め付けの不具合を確実に防止することとなる。一方、ナットがボルトに対して適正な姿勢でセットされた場合は、逆ネジとボルトのネジとが接触することがなく通常状態で締め付けられることとなる。
【０００９】
また、請求項２に係る発明では、雌ネジ定径部と逆ネジ部との間にネジのないフラット部が形成されているものとしたので、雌ネジ定径部と逆ネジ部のネジの向きが異なっているにもかかわらず、生産がし易くなる。
【発明を実施するための最良の形態】
【００１０】
以下に、図面を参照しつつ本発明の好ましい実施の形態を示す。
図１は本発明のナットを示す一部切欠正面図、図２は図１の拡大詳細図であるが、図１においては、ナットに形成されたネジ山を簡略化して示している。なお本発明に係るナットは、例えばボルトが事前に取り付けられていて、そこへナットを締め付けるような組立作業において使用されるものである。
【００１１】
図１〜図２に示すように、ナット本体１には、ボルト２０の軸部２１に形成された雄ネジ２２（図３、４を参照）に対応する一定内径の雌ネジ定径部２が形成されており、またナット本体１の入口側（即ち、ボルト２０の軸端部がネジ込まれる側）には前記雌ネジ定径部２とは逆方向に螺合する逆ネジ部３が形成されている。
なお、２ａは前記雌ネジ定径部２に形成されたネジ山、３ａは逆ネジ部３に形成されたネジ山であり、逆ネジ部３に形成されるネジ山３ａの内径はボルトの外径よりも所定寸法（例えば、０．１〜０．２ｍｍ）だけ僅かに大きな内径とされている。また、前記ネジ山２ａはナット本体１を右回転（時計回り方向へ回転）させることで、ボルト２０に形成された雄ネジ２２にネジ込み可能な右ネジ形状となっている。
【００１２】
一方、逆ネジ部３に形成されるネジ山３ａは、前記前記雌ネジ定径部２に形成されるネジ山２ａに対して逆左ネジ形状となっている。即ち、前記雌ネジ定径部２のネジ山２ａが右回転でネジ込まれていく右ネジ形状となっているのに対し、逆ネジ部３に形成されるネジ山３ａは、ナット本体１が右回転することでボルト２０から抜け出てくるような左ネジ形状となっている。
なお、この逆ネジ部３はナット本体１がボルト２０に対して斜めにセットされた状態で締め付けられた場合に、逆ネジの作用によりナット本体１を浮き上がらせて締結の進行を止める目的である。従って、ネジ山３ａは１〜３ピッチあれば十分であり、それ以上あるとナット本体１の高さが高くなるので好ましくない。
【００１３】
また、前記雌ネジ定径部２と逆ネジ部３との間には、ネジのないフラット部４を形成すれば、ナット本体１が傾いた状態でボルト２０に挿入された場合にも、このフラット部４とボルト２０の雄ネジ２２とが噛み合うことはないので、ナット本体１がボルト２０の雄ネジ２２に噛み込むことがなくなる。この結果、ナット本体１の噛み込みや焼き付きをより確実に防止できることとなる。
【００１４】
なお、以上の説明では、雌ネジ定径部２に形成されるネジ山２ａを右ネジ、逆ネジ部３に形成されるネジ山３ａを左ネジとした場合について説明したが、左右ネジが逆であってもよいことは勿論である。
また、前記ナット本体１の入口側に座ぐり部を設けて、この座ぐり部に逆ネジ部３を形成することもできる。
【００１５】
次に、ナット本体１とボルト２０との螺合について説明する。
先ず、図３に示されるように、ボルト２０に対してナット本体１が真っ直ぐに適正な姿勢でセットされた場合は、逆ネジ部３に形成されるネジ山３ａの内径はボルトの外径よりも僅かに大きな内径とされているので、ボルト２０の雄ネジ２２は逆ネジ部３のネジ山３ａと接触することなくそのまま通過して、雌ネジ定径部２のネジ山２ａと直接に接触することとなる。その状態でナット本体１をネジ込んでいくと、ボルト２０の雄ネジ２２と雌ネジ定径部２のネジ山２ａとが螺合して通常通りしっかりと締め付けられることになる。
【００１６】
一方、図４に示されるように、ボルト２０に対してナット本体１が斜めの状態でセットされると、ボルト２０の雄ネジ２２は最初に逆ネジ部３に形成されたネジ山３ａに接触することとなる。この状態でナット本体１をボルト２０に締め付けようとして回転（右回転）させると、逆ネジ部３のネジ山３ａはボルト２０の雄ネジ２２とは逆の左ネジが切ってあるため、右回転に伴ってナット本体１はネジが緩む方向（即ち、ナット本体１が浮き上がる方向）に移動することになる。この結果、ナット本体１とボルト２０とは螺合することがないので、従来のようにナット本体１がボルトに対し噛み込んだり焼き付けを発生するのを確実に防止できることとなる。
【００１７】
また、逆ネジ部３のネジ山３ａのピッチ数が少なく、ボルト２０の雄ネジ２２がフラット部４に直接干渉する場合があったとしても（図示せず）、フラット部４にはネジがないため両者が噛み合うことはないので、ナット本体１がボルトの雄ネジに噛み込むことがなく、より確実にナット本体１の噛み込みや焼き付きを防止できることとなる。
【００１８】
なお、本発明は上記実施の形態に限られるものではなく、各種の変形が可能である。例えば、実施の形態ではナットとボルトを例に挙げたが、これ以外の雌ネジ部材と雄ネジ部材にも本発明を適用できることは勿論であり、またネジ山の形状等についても用途に応じて適宜変更可能であることは勿論である。
【００１９】
以上説明したように、本発明ではボルトに締め付けるナットであって、ナット本体にはボルトの軸部に形成された雄ネジに対応する一定内径の雌ネジ定径部が形成されており、またナット本体の入口側にはボルトの外径よりも大きな内径の逆ネジ部が形成されているものとしたので、ナットがボルトに対して傾斜等して不適正な状態でセットされたとき、このナットは適正な締め付け姿勢でないとしてボルトから浮き上がる方向へ移動させられることになる。即ち、ナットをボルトに対して適正な締め付け姿勢にしない限りネジ込んでいくことができないので、ボルトが傾斜状態等の不適正な状態でボルトに嵌り込んでしまうことがなく、ナットのボルトへの噛み込みや焼き付きを確実に防止することができることとなる。
【図面の簡単な説明】
【００２０】
【図１】本発明の実施の形態を示す一部切欠正面図である。
【図２】図１の拡大詳細図である。
【図３】本発明のナットをボルトに適正に締め付けた状態を示す断面図である。
【図４】本発明のナットをボルトに斜めに締め付けた状態を示す断面図である。
【符号の説明】
【００２１】
１  ナット本体
２  雌ネジ定径部
２ａ  ネジ山
３  逆ネジ部
３ａ  ネジ山
４  フラット部
２０  ボルト
２１  軸部
２２  雄ネジ
【図１】
2009264459.tif 000003
【図２】
2009264459.tif 000004
【図３】
2009264459.tif 000005
【図４】
2009264459.tif 000006